(57)【要約】【課題】安定性を向上させることができ、良好に所定位置で固定できる回転式便器を提供する。【解決手段】車輪５ａ，５ｂ，５ｃを備えたベース４上に、便器本体を載置して成る回転式便器において、ベース４のバランスの崩れを防ぐ安定保持機構として、ネジ６，６を設けて構成する。【選択図】　　　　　　　　図２
2004116165.tif 000002
【特許請求の範囲】
【請求項１】
車輪を備えたベース上に便器本体を載置してなる回転式便器において、前記ベースのバランスの崩れを防ぐ安定保持機構を設けたことを特徴とする回転式便器。
【請求項２】
前記安定保持機構は、前記ベースから床面に向かって垂設されたネジ、あるいはレバーで構成されていることを特徴とする請求項１に記載の回転式便器。
【請求項３】
車輪を備えたベース上に便器本体を載置してなる回転式便器において、前記ベースを床面に固定し得るブレーキ機構を設けたことを特徴とする回転式便器。
【請求項４】
前記ブレーキ機構は、前記ベースから床面に向かって垂設され、その下端が床面に押圧されるネジ、あるいはレバーで構成されていることを特徴とする請求項３に記載の回転式便器。
【請求項５】
車輪を備えたベース上に便器本体を載置してなる回転式便器において、前記車輪は、前記ベースに貫通形成された車輪孔内に入り込み、該車輪の一部が前記ベースの下方へ突出していることを特徴とする回転式便器。
【請求項６】
車輪を備えたベース上に便器本体を載置してなる回転式便器において、前記ベースの回転を、所定角度範囲内のみで許容する運動制限機構を設けたことを特徴とする回転式便器。
【請求項７】
前記運動制限機構は、前記ベースに貫通形成された所定角度範囲の円弧長孔と、該円弧長孔内に挿通されて、下端が床面に固定される固定軸で構成されていることを特徴とする請求項６に記載の回転式便器。
【発明の詳細な説明】
【０００１】
【発明の属する技術分野】
この発明は、回転させることのできる回転式便器に関するものである。
【０００２】
【従来の技術】
従来、高齢者や身体の不自由な人が、車椅子に乗った状態でトイレに入り、トイレ内で便器に移乗する時に、便器が回転できると、楽に便器へ移乗することができ、またトイレ内で車椅子を回転させるためのスペースも少なくて済むため、キャスター付きの回転式便器が存在する（例えば、特許文献１参照。）。
【０００３】
【特許文献１】
特開２００１−３４６７２０号公報
【０００４】
【発明が解決しようとする課題】
従来のような回転式便器において、トイレの床等の凹凸や床の平面度に対応して、ガタつきをなくすために、三車輪で構成する場合が一般的であるが、このような三車輪で支持する回転式便器では、車輪の存在しない部分に上方から力が加わったような場合には、便器が傾いてしまい、安定性に問題が生じていた。
【０００５】
【課題を解決するための手段】
本発明は、上記従来の問題点に鑑み案出したものであって、安定性を向上させることができ、良好に所定位置で固定できる回転式便器を提供せんことを目的とし、その第１の要旨は、車輪を備えたベース上に便器本体を載置してなる回転式便器において、前記ベースのバランスの崩れを防ぐ安定保持機構を設けたことである。
また、第２の要旨は、前記安定保持機構は、前記ベースから床面に向かって垂設されたネジ、あるいはレバーで構成されていることである。
【０００６】
また、第３の要旨は、車輪を備えたベース上に便器本体を載置してなる回転式便器において、前記ベースを床面に固定し得るブレーキ機構を設けたことである。
また、第４の要旨は、前記ブレーキ機構は、前記ベースから床面に向かって垂設され、その下端が床面に押圧されるネジ、あるいはレバーで構成されていることである。
【０００７】
また、第５の要旨は、車輪を備えたベース上に便器本体を載置してなる回転式便器において、前記車輪は、前記ベースに貫通形成された車輪孔内に入り込み、該車輪の一部が前記ベースの下方へ突出していることである。
また、第６の要旨は、車輪を備えたベース上に便器本体を載置してなる回転式便器において、前記ベースの回転を、所定角度範囲内のみで許容する運動制限機構を設けたことである。
また、第７の要旨は、前記運動制限機構は、前記ベースに貫通形成された所定角度範囲の円弧長孔と、該円弧長孔内に挿通されて、下端が床面に固定される固定軸で構成されていることである。
【０００８】
【発明の実施の形態】
以下、本発明の実施例を図面に基づいて説明する。
図１は、回転式便器の斜視構成図であり、回転式便器１は、上面に便蓋３，便座を備えた便器本体２がベース４上に載置されており、このベース４の下面には３個の車輪５ａ，５ｂ，５ｃが備えられ、３個の車輪５ａ，５ｂ，５ｃはその角度が固定されて設けられており、前後左右方向には移動することなく、所定の円運動のみが行えるように構成され、この３個の車輪５ａ，５ｂ，５ｃを介して、ベース４と共に便器本体２を水平面内で回転させることができるように構成されている。
【０００９】
このような回転式便器１において、例えば車輪５ａと車輪５ｂ間の中間部位Ｐ付近に、上方から押圧力が掛かったような場合には、この中間部位Ｐが下方側へ押されて、ベース４が傾き、バランスを崩してしまうことがあるため、本例では、図２に斜視で、図３に平面構成を示すように、車輪５ａと５ｂの中間部位Ｐの位置に、ベース４に上下動可能にネジ６が螺合されて垂設されたものとなっている。
このネジ６は、車輪５ａと車輪５ｃ間の中間部位にも設けられており、２個のネジ６，６により、ベース４のバランスの崩れを防ぐための安定保持機構が構成されている。
【００１０】
この各ネジ６は、その上端の頭部６ａを手で回して、ベース４に対して螺進退させ、ネジ６の下端を上下動させて調節することができるものであり、通常はネジ６の下端が、トイレの床面から１ｍｍ〜２ｍｍ程度浮き上がった位置に保持されており、ベース４を回転させる時には回転の妨げとはならず、ベース４のバランスが崩れた場合に、ネジ６の下端が床面に当接することで、大きくベース４が傾くことを確実に防いで、バランスの崩れをなくして安定性を向上させることができるものである。
従って、ベース４の底側に３個の車輪を設けて構成した場合にも、車輪間にネジ６，６を垂設することで、ベース４のバランスの崩れを防いで、安定性を確保できるものとなる。
【００１１】
なお、ベース４と共に便器本体２を回転させて、好みの位置で固定させる場合には、ネジ６の頭部６ａを手で回して、ネジ６の下端をトイレの床面に当接させ、更にネジ６を締め付けて、ネジ６の下端を床面に押圧状態とさせ、ベース４を僅かに持ち上げるようにしておけば、その状態でベース４は床面の所定位置に固定状態となり、むやみに便器本体２が動かなくなり、便器本体２の使用が容易なものとなる。
なお、この場合には、ネジ６は、床面との間に摩擦力を発生させるブレーキ機構を構成することとなり、良好に回転式便器１を所定位置に固定できるものとなる。
【００１２】
なお、ブレーキ機構としての役目をより確実にするために、例えば図４に示すように、トイレの床面の所定位置に、中央孔７ａを有するリング状の床固定部材７を予め固設しておき、この床固定部材７の中央孔７ａ内に、ネジ６の下端を嵌合させるように構成しておけば、床固定部材７にネジ６が嵌合された状態では、ベース４が回転できない固定状態を維持することができるものとなる。
【００１３】
なお、本例では、ベース４に３個の車輪５ａ，５ｂ，５ｃを備えた三車輪構成としているが、図５の平面図で示すように、車輪５ａ，５ｂ，５ｃ，５ｄを４個備えた四輪構成の場合においても、例えば車輪５ａと５ｄ間の中間部位にネジ６を設け、また車輪５ｂと５ｃ間の中間部位にネジ６を設けて、この一対のネジ６，６を安定保持機構として作用させる場合には、各ネジ６の下端を床面より僅かに浮かせた状態としておけば、ベース４のバランスが崩れた場合にも、ネジ６の下端が床面に当接して、良好にバランスの崩れを防ぐことができるものとなる。
また、ネジ６，６をブレーキ機構として作用させる場合には、ネジ６，６のそれぞれの下端を床面に押圧させて、ベース４を回転不能な状態に良好に固定することができるものとなる。
【００１４】
なお、安定保持機構及びブレーキ機構として、ネジ６によるものの他に、図６に示すようにレバーを用いても良く、図６では、ベース４の上面側に、手で引き上げることのできる傾斜状のレバー８，８が一対設けられており、それぞれのレバー８，８の下端には、ベース４の下方へ垂下する上下動部８ａ，８ａが設けられている。
例えば、レバー８と上下動部８ａ間にトグル機構を介在させて、レバー８を上方へ作動させた時には、上下動部８ａが下降するように構成されている。
【００１５】
通常は、上下動部８ａの下端が、床面から僅かに浮き上がった状態に維持されるように設定しておくことができ、上下動部８ａが床面から例えば１ｍｍ〜２ｍｍ程度浮き上がった状態に保持された状態では、レバー８は安定保持機構として作用し、ベース４のバランスが崩れた場合に、上下動部８ａの下端が床面に当接して、バランスの崩れを良好に防ぐことができるものとなる。
【００１６】
レバー８をブレーキ機構として作用させる場合には、レバー８を上方へ引き上げて作動させ、上下動部８ａの下端を床面に押圧させて、床面との摩擦力、あるいは嵌合力によりベース４を回転不能な状態として、良好に固定できるものとなる。
なお、このようなレバー式の安定保持機構、及びブレーキ機構は、四車輪構成のベース４についても採用することができるものである。
【００１７】
次に、図７は更に異なる変更例を示すものであり、図７では、ベース４の外周側に、円弧状を成し上下に貫通した円弧長孔４ｂ，４ｂを、それぞれ車輪間の中間位置に形成させておき、それぞれの円弧長孔４ｂには、それぞれ固定軸９を上方から挿し込んで、ベース４の上面側には、固定軸９を常には下方側へ付勢するバネ１０を固定軸９の外周に設けておき、一方、トイレの床面の所定位置には、床固定部材７を予め固設させておき、この床固定部材７の中央孔７ａに対し、固定軸９の下端が嵌合されるように構成したものである。
【００１８】
このような構成では、バネ１０により固定軸９は下方側へ付勢されており、固定軸９の下端を床固定部材７に嵌合固定させておけば、ベース４は円弧長孔４ｂの範囲内でしか回転できないものとなる。即ち、ベース４は、固定軸９にガイドされて、円弧長孔４ｂの範囲内でのみ回転させることができ、例えばベース４上に載置される便器本体２の前端側を車椅子方向に向けることのできる角度範囲に円弧長孔４ｂを設定しておけば、この円弧長孔４ｂの範囲内でベース４を回転させて、車椅子からの移乗時に便器本体２を適宜回転させて良好に使用できるものとなる。
即ち、ベース４の回転運動を制限する運動制限機構が、円弧長孔４ｂと固定軸９により形成されている。
【００１９】
次に、図８には回転式便器の変更例を示す。
図８は、回転式便器の透視斜視構成図であり、図９は、図８の側面縦断面構成図であり、また図１０は、便器本体の部分を横方向に切断した平面構成図である。
【００２０】
図において、本例ではベース４は略四角形状に形成されており、このベース４上に便器本体２が載置されるものであるが、便器本体２の排水口２ａを差込接続する排水ソケット１２を、予めベース４の所定位置に固定部１２ａを介して固定したものである。
また、３個の車輪５ａ，５ｂ，５ｃは、図１１の平面図で示すように、予めベース４に上下方向に貫通形成された車輪孔４ｄ，４ｄ，４ｄ内に配置するものであり、ベース４の上面側から各車輪孔４ｄ，４ｄ，４ｄの位置に車輪ケース５１ａ，５１ｂ，５１ｃが固定され、この車輪ケース５１ａ，５１ｂ，５１ｃ内に、車輪５ａ，５ｂ，５ｃが、それぞれ軸を介し回転可能に設けられるものである。
【００２１】
図９に示すように、各車輪５ａ，５ｂ，５ｃは、その一部がベース４から下方側へ突出されており、床面Ｆに置いた状態では、ベース４と床面Ｆ間の隙間Ｓは、約５ｍｍ程度となるように設定されている。
従って、このような構成では、床面Ｆとベース４の距離は極めて小さいために、ベース４がバランスを崩して傾いた時には、ベース４の一部が床面Ｆに当接し、これによりベース４の傾きが修正されて、ベース４は良好に水平状態に維持されることとなり、回転式便器の安定性が良好に確保されるものとなる。
【００２２】
なお、ベース４の前部部位の左右には、ネジ孔４ｃ，４ｃが２ヵ所形成されており、各ネジ孔４ｃ内にネジ６を螺合して、ネジ６の下端を床面Ｆすれすれの位置に保持しておくことにより、ネジ６を介して、より良好に回転式便器の安定性が確保されるものとなる。
また、ネジ６を床面Ｆに押し付けることにより、ベース４を床面Ｆに固定させることができ、この状態では回転式便器１の回転が防がれ、安定した状態で回転式便器１の使用が可能となる。
【００２３】
なお、ベース４上に、固定部１２ａを介し予め固定された排水ソケット１２は、図１２の拡大縦断面図で示すように、その下端側が、床面Ｆに縦方向に埋設された埋設排水管１３に接続されるものであり、この接続部に、図１３の拡大図で示すように、Ｏリング１４と、例えば塩化ビニル製のＣリング１５を用いて、両者間のシール性を確保することができ、ベース４を回転させた時にも、埋設排水管１３に対し、水密性を確保しながら良好に排水ソケット１２が回転されるものである。
【００２４】
【発明の効果】
本発明は、車輪を備えたベース上に便器本体を載置してなる回転式便器において、ベースのバランスの崩れを防ぐ安定保持機構を設けたことにより、車輪が３個の三輪車構成であっても、ベースのバランスが崩れた時には、良好に安定保持機構によりベースが傾くことが防がれ、安定性を向上させることができるものとなる。
【００２５】
また、安定保持機構は、ベースから床面に向かって垂設されたネジ、あるいはレバーで構成されていることにより、ネジあるいはレバーの下端を床面から僅かに浮き上がった位置に維持させておけば、ベースのバランスが崩れて傾いた時に、ネジあるいはレバーの下端が床面に当接し、それ以上傾くことを防いで、ベースの安定性を向上させることができるものとなる。
【００２６】
また、車輪を備えたベース上に便器本体を載置してなる回転式便器において、ベースを床面に固定し得るブレーキ機構を設けたことにより、ブレーキ機構を介してベースを床面の所定位置に固定して、安定した状態で便器を使用できるものとなる。
【００２７】
また、ブレーキ機構は、ベースから床面に向かって垂設され、その下端が床面に押圧されるネジ、あるいはレバーで構成されていることにより、ネジあるいはレバーの下端が床面に摩擦力あるいは嵌合力で固定状態となり、ベースの回転を不能として、ベースを所定位置に固定状態に維持できるものとなる。
【００２８】
また、車輪を備えたベース上に便器本体を載置してなる回転式便器において、車輪は、ベースに貫通形成された車輪孔内に入り込み、車輪の一部がベースの下方へ突出していることにより、車輪はベースからその一部が下方へ突出しているのみであるため、床面とベース間の距離を極めて小さくすることができ、これにより、ベースのバランスが崩れた時には、ベースが床面に当接することで、ベースが傾くことが防がれ、良好にベースの安定性が保たれる効果を有する。
【００２９】
また、車輪を備えたベース上に便器本体を載置してなる回転式便器において、ベースの回転を、所定角度範囲内のみで許容する運動制限機構を設けたことにより、運動制限機構によりベースは所定角度範囲内でのみ回転でき、車椅子から便器本体へ移乗する時等のみ、ベースを回転させることができ、その他の場合には余分な回転力が生じないために、安定した使用状態が得られるものとなる。
【００３０】
また、運動制限機構は、ベースに貫通形成された所定角度範囲の円弧長孔と、円弧長孔内に挿通されて、下端が床面に固定される固定軸で構成されていることにより、ベースには円弧長孔を形成し、この円弧長孔内に固定軸を挿通させた簡単な構造で、運動制限機構を構成することができるものとなる。
【図面の簡単な説明】
【図１】回転式便器の斜視構成図である。
【図２】回転式便器のベースに、安定保持機構を構成するネジを設けた斜視構成図である。
【図３】図２のベースを有する回転式便器の平面構成図である。
【図４】床固定部材にネジを嵌合させる前の分解斜視図である。
【図５】四車輪構成とした回転式便器の平面構成図である。
【図６】レバー式の安定保持機構を備えたベースの斜視構成図である。
【図７】運動制限機構を備えたベースの斜視構成図である。
【図８】回転式便器の変更例を示す一部透視斜視構成図である。
【図９】図８の側面を示す縦断面構成図である。
【図１０】図８の便器本体を横方向に切断した状態の平面構成図である。
【図１１】便器本体及び車輪ケースを取り外した状態のベースの平面構成図である。
【図１２】埋設排水管と排水ソケットの接続状態を示す縦断面拡大構成図である。
【図１３】埋設排水管と排水ソケットの接続部のシール構造を示す拡大断面構成図である。
【符号の説明】
１　　回転式便器
２　　便器本体
４　　ベース
４ｂ　　円弧長孔
４ｃ　　ネジ孔
４ｄ　　車輪孔
５ａ，５ｂ，５ｃ　　車輪
６　　ネジ
６ａ　　頭部
７　　床固定部材
７ａ　　中央孔
８　　レバー
８ａ　　上下動部
９　　固定軸
１０　　バネ
１２　　排水ソケット
１２ａ　　固定部
１３　　埋設排水管
１４　　Ｏリング
１５　　Ｃリング
５１ａ，５１ｂ，５１ｃ　　車輪ケース
Ｆ　　床面
Ｓ　　隙間
【図１】
2004116165.tif 000003
【図２】
2004116165.tif 000004
【図３】
2004116165.tif 000005
【図４】
2004116165.tif 000006
【図５】
2004116165.tif 000007
【図６】
2004116165.tif 000008
【図７】
2004116165.tif 000009
【図８】
2004116165.tif 000010
【図９】
2004116165.tif 000011
【図１０】
2004116165.tif 000012
【図１１】
2004116165.tif 000013
【図１２】
2004116165.tif 000014
【図１３】
2004116165.tif 000015